(57)【要約】【課題】見栄えが良好な車両用表示装置を提供する。【解決手段】車両用表示装置は、車両に搭載される。車両用表示装置は、互いにずれた位置に配置された複数の発光素子を有する光源部と、透光性を有する板状に形成され、外縁部を介して各発光素子からの光源光を板内部に入射させ、光源光により表示を行なう透光表示板３０と、を備える。透光表示板３０は、板面として平坦に形成された平坦部３１と、平坦部３１から凹む凹状に形成され、光源光により照明されて光輝して、表示を行なう凹状穴３４と、凹状穴３４を囲んで配置され、平坦部３１と凹状穴３４とを接続する接続部３７と、を有する。接続部３７は、曲面状をなすと共に、各発光素子からの光源光を拡散するように形成された拡散曲面３８を有する。【選択図】図６
2018165678.tif 000002
【特許請求の範囲】
【請求項１】
車両に搭載される車両用表示装置であって、
互いにずれた位置に配置された複数の発光素子（５２ａ〜ｅ）を有する光源部（５０）と、
透光性を有する板状に形成され、外縁部（３２）を介して各前記発光素子からの光源光を板内部に入射させ、前記光源光により表示を行なう透光表示板（３０）と、を備え、
前記透光表示板は、
板面として平坦に形成された平坦部（３１）と、
前記平坦部から凹む凹状に形成され、前記光源光により照明されて光輝して、前記表示を行なう凹状穴（３４）と、
前記凹状穴を囲んで配置され、前記平坦部と前記凹状穴とを接続する接続部（３７）と、を有し、
前記接続部は、曲面状をなすと共に、各前記発光素子からの前記光源光を拡散するように形成された拡散曲面（３８）を有する車両用表示装置。
【請求項２】
前記凹状穴は、底面（３６）と、前記底面を囲む側壁面（３５）と、を有し、前記側壁面による前記凹状穴の輪郭が前記車両の情報を表示するように形成されている請求項１に記載の車両用表示装置。
【請求項３】
前記凹状穴は、前記輪郭の少なくとも一部が曲線状に形成される曲線輪郭凹状穴（３４ｅ）を含み、
前記曲線輪郭凹状穴と前記平坦部とを接続する前記接続部において、曲線状の前記輪郭に沿った前記拡散曲面が設けられている請求項２に記載の車両用表示装置。
【請求項４】
前記曲線輪郭凹状穴において、前記輪郭は、文字の形態をなす請求項３に記載の車両用表示装置。
【請求項５】
前記側壁面は、前記平坦部に対して傾斜する傾斜面状に形成され、前記光源光により照明されて光輝することで、前記凹状穴を縁取る枠状に表示される縁取り側壁面（３５ｆ）を含む請求項２から４のいずれか１項に記載の車両用表示装置。
【請求項６】
前記底面及び前記側壁面は、前記拡散曲面と共に、前記光源光を拡散するように形成される請求項２から５のいずれか１項に記載の車両用表示装置。
【請求項７】
前記接続部のうち、前記凹状穴を囲む全周に、前記拡散曲面が設けられている請求項１から５のいずれか１項に記載の車両用表示装置。
【請求項８】
前記拡散曲面に囲まれた前記凹状穴の開口を覆うように、前記平坦部に貼り付けられている光学フィルム（５９）を、さらに備える請求項１から６のいずれか１項に記載の車両用表示装置。
【発明の詳細な説明】
【技術分野】
【０００１】
本開示は、車両に搭載される車両用表示装置に関する。
【背景技術】
【０００２】
従来、車両に搭載される車両用表示装置が知られている。特許文献１に開示の装置は、略直線状発光体としての蛍光ランプと、透光性を有する板状に形成され、外縁部を介して蛍光ランプからの光源光を板内部に入射させ、光源光により表示を行なう透光表示板と、を備えている。
【０００３】
透光表示板は、平坦部及び凹状穴を有している。凹状穴は、平坦部（特に板の裏面）から凹む凹状に形成されており、光源光により照明されて光輝して、表示を行なう。平坦部と凹状穴との間は、滑らかには接続されておらず、尖った角状に形成されている。
【先行技術文献】
【特許文献】
【０００４】
【特許文献１】特開平９−３１８３９９号公報
【発明の概要】
【発明が解決しようとする課題】
【０００５】
さて、本発明者らは、特許文献１の構成に対して、さらなる見栄えの向上や製造のし易さ等を実現するべく、平坦部と凹状穴とを接続する接続部を曲面状とすることを検討した。これと共に、略直線状発光体に代えて、互いにずれた位置に配置された複数の発光素子により、凹状穴を光輝させる構成を検討した。
【０００６】
しかしながら、複数の発光素子により、凹状穴を光輝させる構成において、接続部の曲面を鏡面状にした場合、凹状穴の照明と同時に、各発光素子からの光源光が鏡面状曲面に入射すると、当該光源光が鏡面反射され得る。このため、当該接続部の曲面に各発光素子が例えば玉のように映り込んでしまうという問題を、本発明者らは見出した。こうした複数の発光素子の映り込みによって、本来注目させたい凹状穴よりも接続部が目立ってしまうこと、照明ムラとして乗員に認識されてしまうこと等、見栄えが低下する原因となることが懸念されている。
【０００７】
開示されるひとつの目的は、見栄えが良好な車両用表示装置を提供することにある。
【課題を解決するための手段】
【０００８】
ここに開示された車両用表示装置は、車両に搭載される車両用表示装置であって、
互いにずれた位置に配置された複数の発光素子（５２ａ〜ｅ）を有する光源部（５０）と、
透光性を有する板状に形成され、外縁部（３２）を介して各発光素子からの光源光を板内部に入射させ、光源光により表示を行なう透光表示板（３０）と、を備え、
透光表示板は、
板面として平坦に形成された平坦部（３１）と、
平坦部から凹む凹状に形成され、光源光により照明されて光輝して、表示を行なう凹状穴（３４）と、
凹状穴を囲んで配置され、平坦部と凹状穴とを接続する接続部（３７）と、を有し、
接続部は、曲面状をなすと共に、各発光素子からの光源光を拡散するように形成された拡散曲面（３８）を有する。
【０００９】
このような車両用表示装置によると、平坦部と凹状穴とを接続する接続部において、曲面状の拡散曲面が各発光素子からの光源光を拡散するように設けられている。このようにすると、凹状穴の照明と同時に、各発光素子からの光源光が拡散曲面に入射した場合、当該光源光が様々な方向に拡散反射される。故に、車両の乗員が拡散反射された光源光を視認しても、各発光素子が玉のように映り込んでしまうことは抑制され、拡散曲面の各箇所が比較的均一に光輝して視認される。したがって、接続部が必要以上に目立たなくなり、照明ムラとして乗員に認識されることも抑制される。以上により、見栄えを良好なものとすることができる。
【００１０】
なお、括弧内の符号は、後述する実施形態の部分との対応関係を例示的に示すものであって、技術的範囲を限定することを意図するものではない。
【図面の簡単な説明】
【００１１】
【図１】一実施形態の車両用表示装置を示す部分正面図である。
【図２】図１のII−II線断面図である。
【図３】図２のIII部を拡大して示す拡大図である。
【図４】図１の光源部と凹状穴との関係を説明するための図である。
【図５】図４の透光表示板について説明するための図であって、上側にV−V線断面周辺の拡大正面図を示し、下側にV−V線における断面図を示している。
【図６】凹状穴の断面（拡散曲面に隣接する側壁面と垂直な断面）を拡大して示す拡大断面図である。
【図７】曲線輪郭凹状穴の輪郭と複数の発光素子との関係について具体例を説明するための模式図である。
【図８】平坦部に光学フィルムが貼り付けられた状態の透光表示板を部分的に示す断面図である。
【図９】図８のIX部を拡大して示す図である。
【図１０】変形例２における図６に対応する図である。
【図１１】変形例３の透光表示板を示す図である。
【発明を実施するための形態】
【００１２】
一実施形態を図面に基づいて説明する。
【００１３】
図１に示すように、本発明の一実施形態による車両用表示装置１００は、車両に搭載され、当該装置１００を視認する乗員が着座する座席と対向するインストルメントパネルに設置されている。車両用表示装置１００は、乗員が位置することとなる視認側へ向けて車両の情報を表示可能となっている。
【００１４】
このような車両用表示装置１００は、図２にも示すように、ケース部１０、本体表示部２０、透光表示板３０、及び透光表示板用光源部５０等により構成されている。
【００１５】
ケース部１０は、背面ケース１２、プレートウインド部材１４、及びケース透光板１６を有している。背面ケース１２は、例えば遮光性を有する合成樹脂により形成され、本体表示部２０を視認側とは反対の背面側から覆っている。プレートウインド部材１４は、例えば遮光性を有する合成樹脂により形成され、本体表示部２０の外周輪郭に沿って視認側及び背面側に開口部を有する筒状に形成されている。ケース透光板１６は、例えば着色されたアクリル樹脂等の半透光性樹脂により、プレートウインド部材１４の視認側開口部を塞ぐ板状に形成されている。これにより、透光表示板３０は、ケース透光板１６により視認側から覆われている。本実施形態のケース透光板１６は、スモーク調の着色により、透過率が３０％程度に設定されているが、３０％以上の任意の値に設定されていてもよい。
【００１６】
本体表示部２０は、背景表示板２１及び指針部２２を有している。背景表示板２１は、一般的に文字板とも呼ばれており、背面ケース１２と透光表示板３０との間に配置されている。背景表示板２１は、例えば透光性を有する合成樹脂からなる基材の視認側の表面に、半透光性又は遮光性の印刷が部分的に施されて、平板状に形成されている。なお、印刷に代えて、塗装が施されていてもよい。
【００１７】
背景表示板２１における遮光性の印刷等による遮光領域は、後述する透光表示板３０の凹状穴３４による表示が引き立つように、当該凹状穴３４と対向する箇所において、暗色、特に黒色に設定されている。また、図示しないが、背景表示板２１よりも背面側に配置された発光素子が当該背景表示板２１の透光領域及び半透光領域を照明することで、背景表示板２１に、透光表示板３０に対する背景として認識される模様が表示されるようになっている。
【００１８】
指針部２２は、背景表示板２１の右領域及び左領域にそれぞれ配置されることで、複数（例えば２つ）設けられている。ここで、２つの指針部２２は、互いに同様の構成となっているため、図１，２に図示されている右側の指針部２２について代表して説明する。指針部２２は、ステッピングモータ２３及び指針２４を一対有している。ステッピングモータ２３は、背面ケース１２と背景表示板２１との間に、すなわち背景表示板２１よりも背面側に配置されたメイン回路基板１８に保持されている。
【００１９】
指針２４は、連結部２４ａ及び指示部２４ｂを一体的に有している。連結部２４ａは、背景表示板２１に開けられた貫通穴を通して配置されており、ステッピングモータ２３の回転軸２３ａと連結されている。指示部２４ｂは、背景表示板２１と透光表示板３０との間に、すなわち背景表示板２１よりも視認側かつ透光表示板３０よりも背面側に配置されており、針状を呈している。指針２４は、ステッピングモータ２３の出力に応じて回転軸２３ａを回転中心として回動するようになっており、後述する透光表示板３０の凹状穴３４を用いて表示された目盛を指示することにより、車両の情報が表示されるようになっている。右側の指針部２２の指針により表示される車両の情報は、車両の速度となっている。また、指針２４は、背景表示板２１よりも背面側に配置された発光素子２６により照明されることで発光するようになっている。
【００２０】
透光表示板３０は、例えば透光性を有する合成樹脂により、板面３０ａ，３０ｂを視認側及び背面側の両面に一対有する平板状に形成されている。透光表示板３０は、本体表示部２０よりも視認側に配置され、背景表示板２１とは実質平行に設けられている。視認側板面３０ａは視認側を向いている。背面側板面３０ｂは、背面側を向くことで、背景表示板２１と対向している。
【００２１】
透光表示板用光源部５０（以下、単に光源部５０と記載）は、略矩形状の透光表示板３０の外縁部３２のうち、長手方向の左右の外縁部３２に個別に対応して、合計２箇所に設けられている。ここで、２つの光源部５０は互いに同様の構成となっているため、図１，２に図示された右側の光源部５０について代表して説明する。光源部５０は、外縁部３２に沿って設けられた光源用回路基板１９上に、互いにずれた位置に配置された複数（例えば５個）の発光素子５２ａ〜ｅを有している。より詳細に、各発光素子５２ａ〜ｅは、互いに外縁部３２に沿って略等間隔に配列されている。各発光素子５２ａ〜ｅには、発光ダイオードが採用されており、各発光素子５２ａ〜ｅは電源と接続することで光源光を発する。特に本実施形態では、各発光素子５２ａ〜ｅがマルチカラーの発光ダイオードとなっているが、同じ光源部５０に属する発光素子５２ａ〜ｅは互いに実質同一の色及び実質同じ輝度で発光するようになっている。
【００２２】
ここで、光源部５０の発光素子５２ａ〜ｅと透光表示板３０の外縁部３２との間には、図３に示すような外縁部材７０が設けられている。外縁部材７０は、外縁導光部７２と遮光部７６とを２色成形により一体的に有している。外縁導光部７２は、例えば透光性を有する合成樹脂により、光源光を導光可能に形成されている。外縁導光部７２は、透光表示板３０の外縁部３２と対向する板対向面７４、及び発光素子５２ａ〜ｅと対向する光源対向面７３を有している。光源対向面７３及び板対向面７４は、それぞれ滑らかな平面状に形成されている。
【００２３】
遮光部７６は、例えば遮光性を有するエストラマにより形成され、外縁導光部７２のうち対向面７３，７４を除く箇所を囲い込む筒状を呈している。これにより、発光素子５２ａ〜ｅが発した光源光が、外縁導光部７２を導光される際、遮光部７６により外側に漏れ難くなる。遮光部７６は、板対向面７４よりも透光表示板３０側へ延伸している。
【００２４】
また外縁部材７０は、背面ケース１２とプレートウインド部材１４との間に挟まれて保持されている。さらに遮光部７６の透光表示板３０側の端部が透光表示板３０の両板面３０ａ，３０ｂを挟むことによって、外縁部材７０が透光表示板３０を保持している。遮光部７６のエストラマの柔軟性により、車両の振動に応じて発生し得る透光表示板３０とケース部１０との衝突音等の異音が抑制される。
【００２５】
こうして各光源部５０は、図４に示すように、外縁部３２を介して、透光表示板３０の板内部に、互いに対向する左右の外縁部３２から光源光を入射させる。
【００２６】
透光表示板３０の板内部において、各光源部５０からの光源光は、透光表示板３０が沿設されている方向に沿って直線的に進む光を含み、また、板内部を一対の板面３０ａ，３０ｂに反射されながらジグザグに進む光を含む。
【００２７】
透光表示板３０は、こうした光源光を利用して表示を行なう。具体的に、透光表示板３０は、平坦部３１、複数の凹状穴３４、及び各凹状穴３４に対応して設けられた接続部３７を有している。平坦部３１は、平坦に形成されており、特に本実施形態では平面状に形成されている。
【００２８】
凹状穴３４は、図５，６に示すように、板面３０ｂとしての平坦部３１から凹む凹状に形成されている。特に本実施形態の凹状穴３４は、一対の板面３０ａ，３０ｂのうち背面側板面３０ｂから視認側板面３０ａ側へ向かって板厚方向ＴＤに凹んでいる。凹状穴３４は、底面３６及び側壁面３５を有している。
【００２９】
底面３６は、凹状穴３４のうち最も平坦部３１から離間した位置において、平面状に形成されている。底面３６は、光源光が入射される外縁部３２側を向くように、平坦部３１に対して僅かに傾斜している。側壁面３５は、底面３６を全周に亘って囲む立壁状に形成されている。
【００３０】
各凹状穴３４は、光源光により照明されて光輝して、表示を行なうようになっている。より詳細に、各凹状穴３４は、側壁面３５による凹状穴３４の輪郭が、光源光による照明により光輝して、車両の情報を表示するように形成されている。本実施形態の底面３６及び側壁面３５は、シボ加工により粗面状に形成されていることで、光源光を拡散するようになっている。底面３６及び側壁面３５は、凹状穴３４の凹み寸法、各面３５，３６の傾斜及び面粗さ等を適宜設定することで、光源光の照射量、反射量及び拡散量が調整され、所望の輝度で光輝するように調整されている。
【００３１】
本実施形態では、凹状穴３４として、輪郭が目盛の形態をなす複数の目盛凹状穴３４ａ、及び輪郭が文字の形態をなす複数の文字凹状穴３４ｄが設けられている。
【００３２】
複数の目盛凹状穴３４ａは、指針２４の回転中心と同心円状に、かつ、部分円環状に配列されている。各目盛凹状穴３４ａは、指針２４の回転中心に対する放射方向に伸びる略矩形状の輪郭を有している。目盛凹状穴３４ａは、さらに主目盛凹状穴３４ｂと副目盛凹状穴３４ｃとに分かれており、主目盛凹状穴３４ｂと副目盛凹状穴３４ｃとは交互に配列されている。
【００３３】
複数の文字凹状穴３４ｄは、主目盛凹状穴３４ｂの内周側に配置され、文字として、車両の速度を表す数字を輪郭により形成している。
【００３４】
こうした透光表示板３０は、複数の凹状穴３４を形成するために、成形型を用いて射出成形を行なうことで製造される。ここで、型抜きは、成形型を平坦部３１に垂直な板厚方向ＴＤに抜くことで実施される。
【００３５】
本実施形態において、特に図５に示すように、文字凹状穴３４ｄの側壁面３５ｄには、円滑に型抜きを行なうために、板厚方向ＴＤに対して５〜２０度程度の抜き勾配が凹状穴３４の全周に亘って設けられている。
【００３６】
一方、目盛凹状穴３４ａにおいて側壁面３５には、板厚方向ＴＤに対して、こうした抜き勾配よりも大きな勾配が凹状穴３４ａの全周に亘って設けられている。こうして目盛凹状穴３４ａの側壁面３５ａは、平坦部３１の板面３０ｂに沿った方向及び板厚方向ＴＤに対して傾斜する傾斜面状に形成され、光源光により照明されて光輝することで、凹状穴３４ａを縁取る枠状に表示される縁取り側壁面３５ｆとなっている。視認側からこうした目盛凹状穴３４ａを視認した場合、側壁面３５ａが全周に亘って０．３〜０．５ｍｍ程度の略一定幅に視認されるように、当該側壁面３５ａの勾配が設定されている。こうした目盛凹状穴３４ａでは、側壁面３５ａが底面３６よりも高い輝度で光輝するようになっており、輝度差によって表示がより立体的に視認される。
【００３７】
接続部３７は、対応する凹状穴３４を全周に亘って囲んで配置され、平坦部３１と当該凹状穴３４とを接続している。本実施形態において各凹状穴３４に対応する各接続部３７は、全体を拡散曲面３８として構成されている。各拡散曲面３８は、凹状穴３４の側壁面３５と平坦部３１とを滑らかに接続するように湾曲しており、曲面状に形成されている。本実施形態では、拡散曲面３８に隣接する側壁面３５と垂直な断面において、各拡散曲面３８は、板外部側に凸となる曲面状に形成されている。係る断面における各拡散曲面３８の曲率半径は、凹状穴３４の全周に亘って、０．０５ｍｍ程度に設定されている。したがって、接続部３７の幅は、凹状穴３４の全周に亘って略一定に設定されている。
【００３８】
こうした各拡散曲面３８は、上述のように曲面状をなすと共に、シボ加工等により粗面状に形成されていることで、各発光素子５２ａ〜ｅからの光源光を拡散するように形成されている。本実施形態の各凹状穴３４において拡散曲面３８の面粗さは、底面３６及び側壁面３５の面粗さよりも小さく設定されている。
【００３９】
輪郭が文字の形態をなす文字凹状穴３４ｄと平坦部３１とを接続する接続部３７においても拡散曲面３８が設けられている。文字凹状穴３４ｄの少なくとも一部は、輪郭のうち少なくとも一部が曲線状に形成される曲線輪郭凹状穴３４ｅとなっており、こうした曲線輪郭凹状穴３４ｅと平坦部３１とを接続する接続部３７においても、全周に亘って拡散曲面３８が設けられている。
【００４０】
こうした曲線輪郭凹状穴３４ｅについて、より具体的な具体例を挙げて説明する。図７には、輪郭が“０”の数字の形態をなす曲線輪郭凹状穴３４ｅと、平坦部３１とを、拡散曲面３８が接続している例が示されている。“０”の数字の光源部５０と対向する外周側の輪郭は、光源部５０側に凸となる曲線状に形成されている。こうした外周側の輪郭に沿って形成された拡散曲面３８は、当該曲面状の輪郭に沿って湾曲している。これに対して、光源部５０の発光素子５２ａ〜ｅが車両上下方向に沿って５個配列されている。
【００４１】
曲面状の輪郭に沿った拡散曲面３８の湾曲の結果、複数の発光素子５２ａ〜ｅのうち最も上方に配置された発光素子５２ａと、拡散曲面３８において“０”の輪郭のうち斜め上方に対応する点Ａとが正対して向かい合う。上方から２番目に配置された発光素子５２ｂと、拡散曲面３８において“０”の外周側の輪郭のうち斜め上方かつ点Ａより下方に対応する点Ｂとが正対して向かい合う。中央に配置された発光素子５２ｃと、拡散曲面３８において“０”の外周側の輪郭のうち側方に対応する点Ｃとが正対して向かい合う。下方から２番目に配置された発光素子５２ｄと、拡散曲面３８において“０”の外周側の輪郭のうち斜め下方に対応する点Ｄとが正対して向かい合う。最も下方に配置された発光素子５２ｅと、拡散曲面３８において“０”の外周側の輪郭のうち斜め下方であって点Ｄより下方に対応する点Ｅとが正対して向かい合う。
【００４２】
ここで、係る具体例に対して、曲線輪郭凹状穴３４ｅと平坦部３１とを接続する接続部３７において、仮に、拡散曲面３８に代えて、鏡面状に形成された鏡面状曲面が“０”の曲線状の輪郭に設けられた場合を考える。
【００４３】
この場合において、光源部５０の複数の発光素子５２ａ〜ｅが同一の鏡面状曲面と向かい合う結果、各発光素子５２ａ〜ｅからの光源光が同一の鏡面状曲面に入射する。ここで鏡面状曲面が鏡面状に形成されていることにより、各発光素子５２ａ〜ｅからの光源光が視認側に鏡面反射され、その際に鏡面状曲面の湾曲により各発光素子５２ａ〜ｅからの光源光が集光される。こうして鏡面状曲面に対して、各発光素子５２ａ〜ｅに向かい合う鏡面状曲面の各点Ａ〜Ｅにおいて、各発光素子５２ａ〜ｅが玉のように映り込んでしまい、曲面による集光によってその輝度が高まって余計に映り込みが目立ってしまう。こうして１つの文字に対応する鏡面状曲面の狭い範囲に複数の発光素子５２ａ〜ｅが映り込んでしまうのである。
【００４４】
しかしながら、本実施形態では、曲線輪郭凹状穴３４ｅと平坦部３１とを接続する接続部３７においても、全周に亘って拡散曲面３８が設けられている。拡散曲面３８が、各発光素子５２ａ〜ｅからの光源光を多方向に拡散反射するため、乗員の眼に集光状態の光源光が入り、乗員の眼での各発光素子５２ａ〜ｅの結像が抑制される。
【００４５】
上述の具体例として、曲線輪郭凹状穴３４ｅの“０”の外周側の輪郭の例を挙げたが、外周側の輪郭が光源部５０側に凹となる曲線状の場合でも、鏡面状曲面では同様の映り込み現象は発生する。さらには、目盛凹状穴３４ａのように、輪郭が直線状に形成される直線輪郭凹状穴に対応する接続部３７に鏡面状曲面を採用した場合おいても、曲線輪郭凹状穴３４ｅに対応する接続部３７よりも各発光素子５２ａ〜ｅの映り込みは狭い範囲に集中しないものの、発光素子５２ａ〜ｅの映り込み現象自体は発生する。このため、本実施形態のように、直線状の輪郭に沿った拡散曲面３８を設けることによって、乗員の眼での各発光素子５２ａ〜ｅの結像が抑制される。
【００４６】
さらに本実施形態では、図８，９に示すように、透光表示板３０の両板面３０ａ，３０ｂに光学フィルム５８，５９が設けられている。光学フィルム５８，５９は、外光又は本体表示部２０からの光が両板面３０ａ，３０ｂで反射することを防止するフィルム膜状の反射防止フィルムとなっている。
【００４７】
このうち背面側板面３０ｂに対応する光学フィルム５９は、拡散曲面３８に囲まれた凹状穴３４の開口を覆うように、平坦部３１に貼り付けられている。光学フィルム５９は、反射防止層６０及び硬質透光層６４を有している。反射防止層６０は、背面側に露出して配置され、硬質透光層６４は、平坦部３１と反射防止層６０との間に配置されている。硬質透光層６４は、平坦部３１に沿って形成されており、凹状穴３４の側壁面３５及び底面３６との間には、空間ＳＰが形成されている。
【００４８】
また、硬質透光層６４と反射防止層６０との間には、反射防止層６０を硬質透光層６４に対して接着するための接着層６８ａが設けられている。また、平坦部３１と硬質透光層６４との間には、硬質透光層６４を平坦部３１に対して接着するための接着層６８ｂが設けられている。接着層６８ａ，６８ｂには、例えば光学用透明粘着剤（Optical Clear Adhesive）等を採用することが可能である。
【００４９】
反射防止層６０は、２種類以上の互いに屈折率の異なる光学材料からなる複数の薄膜を、透明基材に積層して形成されている。薄膜の光学材料としては、例えばフッ化マグネシウム（ＭｇＦ２）、酸化シリコン（ＳｉＯ２）、酸化チタン（ＴｉＯ２）、ＩＴＯ（酸化インジリウムスズ）、ジルコニア（ＺｒＯ２）、酸化ニオブ（Ｎｂ２Ｏ２）等を採用することができる。
【００５０】
硬質透光層６４は、例えば透光性を有する合成樹脂により、反射防止層６０よりも厚く形成されている。本実施形態の硬質透光層６４は、ポリカーボネイト樹脂からなるＰＣ基材６５をアクリル樹脂からなる一対のＰＭＭＡ基材６６で両側から挟むことにより形成されている。ＰＣ基材６５がＰＭＭＡ基材６６に挟まれることにより、反射防止層６０よりも十分に高い硬度を実現できる。本実施形態における硬度としては、押し込み硬さとしてのビッカース硬度が採用され得る。
【００５１】
こうした光学フィルム５９が凹状穴３４を覆う構成において、凹状穴３４と平坦部３１との接続部３７に拡散曲面３８が採用されている。例えば光学フィルム５９を真空状の環境下で平坦部３１に貼り付けた場合に、光学フィルム５９が凹状穴３４側に巻き込まれようとしても、拡散曲面３８と硬質透光層６４とが接着層６８ａを挟んで当接することによって、光学フィルム５９が接続部３７に当たって損傷する可能性が低減でき、見栄え良く光学フィルム５９を貼付できるのである。
【００５２】
（作用効果）
以上説明した本実施形態の作用効果を改めて以下に説明する。
【００５３】
本実施形態によると、平坦部３１と凹状穴３４とを接続する接続部３７において、曲面状の拡散曲面３８が各発光素子５２ａ〜ｅからの光源光を拡散するように設けられている。このようにすると、凹状穴３４の照明と同時に、各発光素子５２ａ〜ｅからの光源光が拡散曲面３８に入射した場合、当該光源光が様々な方向に拡散反射される。故に、車両の乗員が拡散反射された光源光を視認しても、各発光素子５２ａ〜ｅが玉のように映り込んでしまうことは抑制され、拡散曲面３８の各箇所が比較的均一に光輝して視認される。したがって、接続部３７が必要以上に目立たなくなり、照明ムラとして乗員に認識されることも抑制される。以上により、見栄えを良好なものとすることができる。
【００５４】
また、本実施形態によると、底面３６と、底面３６を囲む側壁面３５とを有する凹状穴３４は、側壁面３５による凹状穴３４の輪郭が車両の情報を表示するように形成されている。光輝する凹状穴３４の輪郭により車両の情報が表示されるので、表示の視認性及び斬新さが高まり、見栄えを良好なものとすることができる。
【００５５】
曲線輪郭凹状穴３４ｅと平坦部３１を接続する接続部３７に、仮に鏡面状の曲面だけを設けた構成では、当該曲面が曲線状の輪郭に沿って形成されるので、曲線状の輪郭に沿って複数の発光素子５２ａ〜ｅが映り込みが目立ち易くなる。これに対し、本実施形態では、拡散曲面３８は、曲線輪郭凹状穴３４ｅと平坦部３１を接続する接続部３７において設けられる。曲線状の輪郭に沿う接続部３７が拡散曲面３８に設定されることにより、当該拡散曲面３８での複数の発光素子５２ａ〜ｅの映り込みが抑制される。故に、複数の発光素子５２ａ〜ｅの映り込みが目立つことが懸念され、見栄えへの影響が大きな曲線輪郭凹状穴３４ｅに接続する接続部３７において、見栄えが改善される。
【００５６】
また、本実施形態によると、曲線輪郭凹状穴３４ｅにおいて、輪郭は、文字の形態をなす。このようにすると、接続部３７が必要以上に目立たなくなるので、文字の視認性が高まり、見栄えを良好なものとすることができる。
【００５７】
また、本実施形態によると、側壁面３５は、平坦部３１に対して傾斜する傾斜面状に形成され、光源光により照明されて光輝することで、凹状穴３４を縁取る枠状に表示される縁取り側壁面３５ｆを含む。このようにすると、接続部３７を必要以上に目立たなくしつつ、凹状穴３４の底面３６と当該底面３６を囲む側壁面３５とで互いに異なった見栄えを提供することができるので、縁取り側壁面３５ｆの光輝による立体感や、輝度コントラスト等による表示の深みを表現することが可能となり、見栄えが格段に向上する。
【００５８】
また、本実施形態によると、底面３６及び側壁面３５は、拡散曲面３８と共に、光源光を拡散するように形成される。このようにすると、底面３６及び側壁面３５を照明する光源光が拡散により、車両の乗員へ届き易くなり、凹状穴３４全体が高い輝度で光輝して視認されることとなるので、凹状穴３４による表示の視認性が向上し、見栄えが良好なものとなる。
【００５９】
また、本実施形態によると、光学フィルム５９が拡散曲面３８に囲まれた凹状穴３４の開口を覆うように、平坦部３１に貼り付けられている。凹状穴３４の開口が光学フィルム５９に覆われていても、接続部３７に拡散曲面３８が設けられることにより、光学フィルム５９が接続部３７に当たって損傷することが抑制される。したがって、光学フィルム５９を美しい状態で平坦部３１に貼り付けた状態を維持できるので、光学フィルム５９による光学的作用と拡散曲面３８による接続部３７の目立たなさとが相俟って、従来にはない、良好な見栄えが実現されるのである。
【００６０】
（他の実施形態）
以上、一実施形態について説明したが、発明は、当該実施形態に限定して解釈されるものではなく、発明の要旨を逸脱しない範囲内において種々の実施形態に適用することができる。
【００６１】
具体的に変形例１としては、全ての接続部３７に拡散曲面３８を設けなくてもよい。例えば、接続部３７のうち、発光素子５２ａ〜ｅの映り込みが目立たない位置等の一部に、鏡面状かつ曲面状の曲面が設けられていてもよい。また例えば、接続部３７のうち一部が、平坦部３１と側壁面３５とを滑らかには接続せずに、尖った角状に形成されていてもよい。
【００６２】
変形例２としては、図１０に示すように、拡散曲面３８に隣接する側壁面３５と垂直な断面において、当該拡散曲面３８は、板内部側に凸となる曲面状に形成されていてもよい。
【００６３】
変形例３としては、図１１に示すように、透光表示板３０は、外縁部３２において、外側へ向かう程背面側に傾斜して設けられる平面状の外縁反射面３２ｂと、外縁反射面３２ｂから背後側に伸びる外縁導光部３２ａを有していてもよい。図１１の例では、外縁導光部３２ａの背後側の先端面に対向して、光源部５０の複数の発光素子５２ａ〜ｅが配列されている。複数の発光素子５２ａ〜ｅが互いに異なる位置から発した光源光は、外縁導光部３２ａにより外縁反射面３２ｂへ導光され、さらに外縁反射面３２ｂにより透光表示板３０の内側へと反射される。このようにして、光源光が凹状穴３４が配置された板内部に入射する。
【００６４】
変形例４としては、光学フィルム５８，５９として、反射防止フィルム以外の例えばカラーフィルム等を採用することができる。また、平坦部３１に光学フィルム５９が貼り付けられていなくてもよい。
【００６５】
変形例５としては、底面３６は、平坦部３１と実質平行に設けられていてもよい。
【００６６】
変形例６としては、拡散曲面３８は、シボ加工等により粗面状に形成されることに代えて、拡散層の印刷又は塗装等により、光源光を拡散する構成であってもよい。底面３６及び側壁面３５についても同様である。
【符号の説明】
【００６７】
３０  透光表示板、３１  平坦部、３２  外縁部、３４  凹状穴、３７  接続部、３８  拡散曲面、５０  光源部、５２ａ〜ｅ  発光素子
【図１】
2018165678.tif 000003
【図２】
2018165678.tif 000004
【図３】
2018165678.tif 000005
【図４】
2018165678.tif 000006
【図５】
2018165678.tif 000007
【図６】
2018165678.tif 000008
【図７】
2018165678.tif 000009
【図８】
2018165678.tif 000010
【図９】
2018165678.tif 000011
【図１０】
2018165678.tif 000012
【図１１】
2018165678.tif 000013